(57)【要約】      （修正有）【課題】電気的に接続する接続部材、及び基板を外部に露出させるための貫通孔による影響を受けることなく、カメラ本体部品を配置することができ、カメラの厚みを薄くすることができる基板接続装置の保持構造を提供する。【解決手段】固定筒１３に傾斜面形状した保持部１３ｂを設け、シャッターフレキと鏡筒フレキ１４を電気的に接続するコネクタ１５を、固定筒１３の保持部１３ｂに沿って撮影光軸方向に対し傾いた状態で保持する。【選択図】図２
2008225430.tif 000002
【特許請求の範囲】
【請求項１】
鏡筒内に配置された第１の基板と、鏡筒の外部に配置された第２の基板と、前記第１の基板と前記第２の基板を電気的に接続する接続部材を有し、該接続部材を撮影光軸と平行に配置し、鏡筒を構成する固定部材の保持部に固定するレンズ鏡筒ユニットにおいて、
前記接続部材の一辺を、撮影光軸方向に傾斜させた状態で、前記固定部材の保持部に固定することを特徴とする基板接続装置の保持構造。
【請求項２】
前記固定部材の保持部の一辺を、撮影光軸方向に傾斜させた傾斜面形状にしたことを特徴とする請求項１のレンズ鏡筒ユニット。
【発明の詳細な説明】
【技術分野】
【０００１】
本発明は、基板を電気的に接続するコネクタの保持構造に関するものである。
【背景技術】
【０００２】
従来、基板を電気的に接続するコネクタの保持構造は、特開２００４−２４８１０１号公報で示すように、撮影レンズ鏡筒部の外周側面にレンズを駆動するレンズ駆動部が固定されている。
【０００３】
このレンズ駆動部の後方（撮像素子側）には、撮像基板が撮影レンズ鏡筒部を構成する固定枠の外周側面に撮影光軸と平行になるように固定されている。
【０００４】
この撮像基板には、電気的に接続するコネクタが、レンズ駆動部の近くで撮影光軸と平行になるように配置され半田付けにより、撮像基板に固定されているものがある。
【特許文献１】特開２００４−２４８１０１号公報（第１３頁、図３）
【発明の開示】
【発明が解決しようとする課題】
【０００５】
しかしながら、特許文献１（特開２００４−２４８１０１号公報）においては、コネクタが撮影光軸と平行になるように配置され、またレンズ駆動部に近い箇所に配置されていることから、撮影レンズ鏡筒部内に配置された基板をこのコネクタに接続する際前方から接続する構成になっていて、コネクタを後方に移動できない場合、レンズ駆動部を前方に移動させる必要があり、カメラの厚みを薄くすることが困難になるといった問題が生じる。
【０００６】
そこで本発明は、電気的に接続する接続部材、及び基板を外部に露出させるための貫通孔による影響を受けることなく、カメラ本体部品を配置することができ、カメラの厚みを薄くすることができる基板接続装置の保持構造を提供することを目的とする。
【課題を解決するための手段】
【０００７】
本発明のレンズ鏡筒ユニットは、鏡筒内に配置された第１の基板と、鏡筒の外部に配置された第２の基板と、前記第１の基板と前記第２の基板を電気的に接続する接続部材を有し、該接続部材を撮影光軸と平行に配置し、鏡筒を構成する固定部材の保持部に固定するレンズ鏡筒ユニットにおいて、前記接続部材の一辺を、撮影光軸方向に傾斜させた状態で、前記固定部材の保持部に固定することを特徴としている。
【発明の効果】
【０００８】
以上説明したように、本発明によれば、電気的に接続する接続部材、及び基板を外部に露出させるための貫通孔による影響を受けることなく、カメラ本体部品を配置することができ、カメラの厚みを薄くすることができる。
【発明を実施するための最良の形態】
【０００９】
以下、図面を参照して、本発明の実施形態１について詳細に説明する。まず、図１から図５を用いて本実施形態に係るレンズ鏡筒ユニットの構成について説明する。
【００１０】
１は露出制御を行うシャッターユニットで、レンズ鏡筒７内に配置されている。このシャッターユニット１には撮影レンズ２が支持されており、外周に３本のカムフォロアー１ａが設けられており、図５に示すカム筒１７のカム溝１７ａにそれぞれ摺動嵌合している。
【００１１】
３は第１の基板としてのシャッターフレキで、シャッターユニット１の外部（外周）に沿って鏡筒内に配置されており、シャッターアクチュエーター１８に半田付けされている。
【００１２】
この第１の基板としてのシャッターフレキ３には、後述するコネクタ１５と接続する接続部３ａが設けられており、図２に示すように固定部材としての固定筒１３の貫通孔１３ａから外部に露出するようになっている。
【００１３】
４は固定地板で、フォーカス駆動機構５、ズーム駆動機構６、レンズ鏡筒７、撮像素子１９を支持している。
【００１４】
５は合焦動作を行うフォーカス駆動機構である。フォーカス駆動機構５は、固定地板４に固定されたフォーカスモーター８を有する。さらに、フォーカスモーター８の回転力をスクリュー螺子１０に伝達する不図示の動力伝達減速ギア列、フォーカスレンズユニット９を光軸方向に進退移動させるスクリュー螺子１０で構成されている。
【００１５】
６は焦点切換え動作を行うズーム駆動機構で、固定地板４に固定されたズームモーター１１、ズームモーター１１の回転力をカム筒１７に伝達する動力伝達減速ギア列１２で構成されている。
【００１６】
動力伝達減速ギア列１２は、固定地板４に回転可能に支持され固定筒１３により保持されている。
【００１７】
１３はレンズ鏡筒７及び動力伝達減速ギア列１２を支持する固定部材としての固定筒で、不図示のビスにより固定地板４に固定されている。
【００１８】
この固定部材としての固定筒１３の側面には、第１の基板としてのシャッターフレキ３の接続部３ａを外部に露出させる貫通孔１３ａと、コネクタ１５を保持する保持部１３ｂと、鏡筒フレキ１４を支持する軸１３ｃ、凹部１３ｄ（図３参照）が形成されている。
【００１９】
保持部１３ｂは、被写体側端部と撮影光軸との距離Ｌ１が、結像側端部と撮影光軸との距離Ｌ２より短くなっている。すなわち、保持部１３ｂの一辺である被写体側端部が撮影光軸方向に一定角度で傾斜する傾斜面になっている。
【００２０】
１４は第２の基板としての鏡筒フレキである。第２の基板としての鏡筒フレキ１４、図３及び図４に示すように固定地板４と固定筒１３の外部（外周）に配置されており、フォーカスモーター８、ズームモーター１１、コネクタ１５、フォトインタラプター１６が半田付けされている。
【００２１】
この鏡筒フレキ１４には、固定筒１３の軸１３ｃに嵌合する孔１４ｂと、固定筒１３の凹部１３ｄに挿入する突部１４ｃがコネクタ１５を挟むように形成されている。また、基板２５と接続する接続部１４ａが設けられている。
【００２２】
１５はシャッターフレキ３と鏡筒フレキ１４を電気的接続に用いられる接続部材としてのコネクタである。接続部材としてのコネクタ１５は、鏡筒フレキ１４に半田付けされおりシャッターフレキ３の接続部３ａが差込まれる。このコネクタ１５は、その一辺を固定筒１３の保持部１３ｂに沿って傾いた状態で取付けられている。接続部材としてのコネクタ１５は、撮影光軸と平行に配置されている。
【００２３】
次に、図３から図５を用いて本実施形態に係るコネクタ保持方法について説明する。図３および図４に示すように、固定地板４と固定筒１３の外部（外周）に配置されたコネクタ１５近傍の第２の基板としての鏡筒フレキ１４の孔１４ｂは固定筒１３の軸ｃに圧入されている。これにより、鏡筒フレキ１４の突部１４ｃは固定筒１３の凹部１３ｄに挿入されることで固定筒１３に固定される。
【００２４】
この固定により、コネクタ１５周辺の鏡筒フレキ１４は固定筒１３の保持部１３ｂに沿って傾いた状態で保持される。同様に鏡筒フレキ１４に半田付けされているコネクタ１５も固定筒１３の保持部１３ｂに沿って傾いた状態で保持される。
【００２５】
また、固定筒１３の貫通孔１３ａを貫通し外側に露出した第１の基板としてのシャッターフレキ３の接続部３ａもコネクタに差込むことで、固定筒１３の保持部１３ｂに沿って傾いた状態となる。
【００２６】
次に、図６から図８を用いて本実施形態に係るカメラ本体にレンズ鏡筒ユニットが組込まれた状態について説明する。
【００２７】
レンズ鏡筒ユニット２０は、不図示のビスにより本体２１に固定される。本体２１に固定されたレンズ鏡筒ユニット２０の周囲には、電池ケース２２、ファインダーユニット２３、ストロボユニット２４が配置されている。
【００２８】
レンズ鏡筒ユニット２０に固定されたコネクタ１５は、固定筒１３と電池ケース２２との間にできる隙間ＳＫの一部に配置されている。
【００２９】
電池ケース２２とコネクタ１５の前方（被写体側）には、図７に示すように主基板２５が配置されている。
【００３０】
このとき、コネクタ１５及びシャッターフレキ３の接続部３ａが固定筒１３の保持部１３ａに沿って傾いた状態で保持されている。このため、シャッターフレキ３の接続部３ａを貫通させる固定筒１３の貫通孔１３ａを結像面側に下げることができる。したがって、コネクタ１５の前方に配置される主基板２５も結像面側に下げて配置することできる。
【００３１】
上記説明したように、シャッターフレキ３と鏡筒フレキ１４を電気的に接続するコネクタ１５を固定筒１３の傾斜面形状した保持部１３ｂに沿って傾いた状態で保持する。このことで、シャッターフレキ３の接続部３ａを貫通させる固定筒１３の貫通孔１３ａを結像面側に下げることができる。更にコネクタ１５の前方に配置される主基板２５も結像面側に下げて配置することできる。
【００３２】
これにより、主基板２５に取付けられた電気部品の高さの影響を受けることがなくなり、カメラの厚みを薄くすることができる。
【００３３】
本実施形態では、コネクタ１５の前方に主基板２５が配置される構成になっているが、カメラ本体を構成する部品であっても構わない。
【図面の簡単な説明】
【００３４】
【図１】本発明の実施形態１に係るシャッターユニットを示す斜視図である。
【図２】本発明の実施形態１に係るレンズ鏡筒ユニット構成を示す部分分解斜視図である。
【図３】本発明の実施形態１に係るレンズ鏡筒ユニットを示す正面図である。
【図４】本発明の実施形態１に係るレンズ鏡筒ユニットを示す下面図である。
【図５】本発明の実施形態１に係るコネクタ保持方法を示す図３のＡ−Ａ断面図である。
【図６】本発明の実施形態１に係るレンズ鏡筒ユニットがカメラ本体に組み込まれた状態を示す正面図である。
【図７】本発明の実施形態１に係る図６の状態で主基板が組み込まれた状態を示す正面図である。
【図８】本発明の実施形態１に係るコネクタと主基板の高さ関係を示す図３のＢ−Ｂ断面図である。
【符号の説明】
【００３５】
１  シャッターユニット
３  シャッターフレキ（第１の基板）
３ａ  接続部
４  固定地板
１３  固定筒（固定部材）
１３ａ  貫通孔
１３ｂ  保持部
１３ｃ  軸
１３ｄ  凹部
１４  鏡筒フレキ（第２の基板）
１４ｂ  孔
１４ｃ  突部
１５  コネクタ（接続部材）
２５  主基板（カメラ本体部品）
【図１】
2008225430.tif 000003
【図２】
2008225430.tif 000004
【図３】
2008225430.tif 000005
【図４】
2008225430.tif 000006
【図５】
2008225430.tif 000007
【図６】
2008225430.tif 000008
【図７】
2008225430.tif 000009
【図８】
2008225430.tif 000010